(57)【要約】【課題】締付ナットのゆるみを監視するに際し、目視のみで監視することが可能であるゆるみ監視ボルトの提供を図る。【解決手段】ボルトネジ部の先端部領域部４を残す一定領域部５に、塗料６を塗布した構成となっている。かかる塗料６として、蛍光塗料あるいは蓄光塗料を採用し得る。【選択図】図２
2008309322.tif 000002
【特許請求の範囲】
【請求項１】
ボルトネジ部の先端領域部を残した一定領域部に、塗料を塗布したことを特徴とするゆるみ監視ボルト。
【請求項２】
前記塗料が、蛍光塗料または蓄光塗料であることを特徴とする請求項１に記載のゆるみ監視ボルト。
【発明の詳細な説明】
【技術分野】
【０００１】
本発明は、建造物等に使用されるボルトナットのゆるみをチェックするゆるみ監視ボルトに関する。
【背景技術】
【０００２】
従来より、建造物等において使用されるボルトナットは、建造時の締め忘れによるゆるみがあったり、建造後に温度、湿度、風雨、日差し、塩害、振動などの経時的環境変化によって締め付け手段のゆるみの発生が考えられ、該ボルトナットのゆるみを防止およびチェックする提案が数多くなされている。
【０００３】
例えば、ボルトナットのゆるみを防止する手段としては、ボルトのネジ部の先端領域を除くネジ部の部分に樹脂粉末塗料膜を形成した「ゆるみ防止用防食金属ボルト」（特許文献１）が提案されているが、該提案は、ネジ部に樹脂粉末体の塗料膜を形成することにより、ネジのゆるみ防止と防食を図るもので締付固定されるボルトナットのゆるみ具合をチェックするものではなかった。
【０００４】
また、ボルトナットのゆるみをチェックする手段としては、ボルトナットの接合する夫々の正面位置の形状に合わせて連続する割符状の模様図形を有するシールを貼付して、ゆるみによるズレを目視して監視する「ボルトナットゆるみ監視用シール」（特許文献２）が提案されている。しかしながら該提案は、経時的環境変化に伴い貼付されたシールの剥がれが懸念され、さらには橋梁、鉄塔ビル、体育館、工場などの大型建造物においては高所および暗闇部での連続する割符状の模様図形のズレを目視でチェックすることは困難である欠点があった。
【特許文献１】特許公開２００１−３０４２１９号公報
【特許文献２】登録実用新案第３１０４５２９号公報
【発明の開示】
【発明が解決しようとする課題】
【０００５】
本発明は、上記問題点に鑑み、塗料を締付ボルトのネジ部の先端領域部を残した一定領域部に塗布することにより、締付ナットのゆるみを目視でチェックすることができるゆるみ監視ボルトの提供を図ることを目的とする。
【課題を解決するための手段】
【０００６】
前記目的を達成するため、本発明は、ボルトネジ部の先端部領域部を残す一定領域部に、塗料を塗布した構成を採る。
【０００７】
また、本発明は、前記塗料が、蛍光塗料または蓄光塗料である構成を採用し得る。
【発明の効果】
【０００８】
本発明にかかるゆるみ監視ボルトによれば、建造物に使用されるボルトナットのゆるみを、ボルトネジ部の先端部領域部を残す一定領域部に塗布された塗料のナットからのはみ出し領域で容易に監視できるものである。
【０００９】
また、本発明にかかるゆるみ監視ボルトによれば、塗料として蛍光塗料あるいは蓄光塗料を採用することにより、暗所においても、懐中電灯等の光を当てることで蛍光塗料・蓄光塗料が発光することによって、ボルトナットのゆるみを容易に監視できるものである。
【００１０】
さらに、本発明にかかるゆるみ監視ボルトによれば、ボルトネジ部の先端部領域部を残す一定領域部に塗料を塗布することにより、該膜厚効果によってボルトナットのゆるみが防止されるとともに、ボルトナットの防錆効果も得られるものである。
【発明を実施するための最良の形態】
【００１１】
本発明にかかるゆるみ監視ボルトは、ボルトネジ部の先端部領域部を残す一定領域部に、蛍光塗料や蓄光塗料といった塗料を塗布した構成を採用したことを最大の特徴とする。以下、本発明にかかるゆるみ監視ボルトの実施形態を図面に基づいて説明する。
【００１２】
図１は、本発明にかかるゆるみ監視ボルト１を示す全体斜視図である。
該ゆるみ監視ボルト１は、金属製締付固定ボルトでネジ部２の先端部領域部４を残す一定領域部５に塗料６を塗布して形成されている。該塗料６は、２００μ〜４００μ程度の厚みで均一に塗布されるのが望ましい。なお、それ以上厚くても薄くても締結状態に支障をきたす恐れが考えられる。
【００１３】
図２は、本発明にかかるゆるみ監視ボルト１を示す説明図である。
塗料６が塗布されない先端部領域部４と塗料６が塗布される一定領域部５は、締め付け時におけるワッシャー７およびナット８の肉厚を考慮して、ボルト首下長さ３と比例して決定されるものである。
【００１４】
図３は、本発明にかかるゆるみ監視ボルト１を示す組み立て状態を示す側面図である。
締結固定状態において、ゆるみ監視ボルト１の塗料６が塗布される一定領域部５が、締付ナット８からはみ出している領域を示す。
【００１５】
なお、塗布される塗料６として、蛍光塗料あるいは蓄光塗料であることが望ましい。蛍光塗料あるいは蓄光塗料を採用することにより、暗所において、懐中電灯１０等の光を当てることで蛍光塗料・蓄光塗料が発光することにより、ボルトナットのゆるみを容易に監視できることとなる。
【００１６】
図４は、本発明にかかるゆるみ監視ボルト１の使用態様を示す説明図である。なお、塗布される塗料６として、蛍光塗料あるいは蓄光塗料を採用した場合について示している。
建造物の暗所において、懐中電灯１０等による締付ボルトのネジ部２の先端領域部４からはみ出る塗料６の発光によって、ボルトナットのゆるみを容易に監視することができる。すなわち、先端領域部４からはみ出る塗料６の発光が確認できれば、ボルトナットはゆるみなく螺合されており、反対に発光が確認できない場合は、ボルトナットにゆるみが生じていることとなる。また、建造物の締付ボルトのゆるみを監視する場合、はみ出している塗料６領域の絶対領域を個々に監視するのではなく、連続する締付ボルトの相対領域を比較監視することによって、効率よくボルトナットのゆるみチェックを行うことができるものである。
【００１７】
図５は、本発明にかかるゆるみ監視ボルト１の他の使用態様を示す説明図である。なお、塗布される塗料６として、蛍光塗料あるいは蓄光塗料を採用した場合について示している。
建造物の暗所において、懐中電灯１０等による締付ボルトのネジ部２の根元部分からはみ出る塗料６の発光によって、ボルトナットのゆるみを容易に監視することができる。上述した懐中電灯１０等による締付ボルトのネジ部２の先端領域部４からはみ出る塗料６の発光によってボルトナットのゆるみを監視する方法によると、鉄骨９等の被締結材やナット８の肉厚によっては、ネジ部２の先端領域部４からはみ出る塗料６が確認できない場合も想定できるが、逆に締付ボルトのネジ部２の根元部分を確認することにより、確実にボルトナットのゆるみチェックを行うことができる。すなわち、締付ボルトのネジ部２の根元部分にはみ出る塗料６の発光が確認されれば、ボルトナットにはゆるみが生じており、反対に発光が確認できない場合は、ボルトナットがゆるみなく螺合されていることとなる。また、上記同様、建造物の締付ボルトのゆるみを監視する場合、はみ出している塗料６領域の絶対領域を個々に監視するのではなく、連続する締付ボルトの相対領域を比較監視することによって、効率よくボルトナットのゆるみチェックを行うことができるものである。
【産業上の利用可能性】
【００１８】
本発明によれば、橋梁、鉄塔、ビル、体育館、工場などの大型建造物から住宅等の一般建造物等、ボルトナットを使用するあらゆる建造物に利用可能であるのみならず、建設機械や加工機械等のメンテナンス分野に利用することも可能である。例えば、吊り下げクレーンや高所作業車、搬送コンベア、大型プレス機、遊園地施設など、その利用範囲は広範囲に考えられ、本発明にかかるゆるみ監視ボルトの産業上の利用可能性は極めて高いものと解される。
【図面の簡単な説明】
【００１９】
【図１】本発明にかかるゆるみ監視ボルトを示す全体斜視図である。
【図２】本発明にかかるゆるみ監視ボルトを示す説明図である。
【図３】本発明にかかるゆるみ監視ボルトを示す組立て状態を示す側面図である。
【図４】本発明にかかるゆるみ監視ボルトの使用態様を示す説明図である。
【図５】本発明にかかるゆるみ監視ボルトの使用態様を示す説明図である。
【符号の説明】
【００２０】
１    ゆるみ監視ボルト
２    ネジ部
３    首下長さ
４    先端部領域部
５    一定領域部
６    塗料
７    ワッシャー
８    ナット
９    鉄骨
１０    懐中電灯
【図１】
2008309322.tif 000003
【図２】
2008309322.tif 000004
【図３】
2008309322.tif 000005
【図４】
2008309322.tif 000006
【図５】
2008309322.tif 000007